(57)【要約】【課題】簡単な構造で、ヒンジ部分の軽量化を図ることが可能な携帯型機器を提供する。【解決手段】携帯型機器１１は、バッテリ１４を収容するバッテリケース１５と、バッテリケース１５に対して回動できるとともに、表示部を有する本体ケース１３と、本体ケース１３とバッテリケース１５との間に設けられるとともに、これらを連結するヒンジ機構１６と、を具備する。ヒンジ機構１６は、バッテリケース１５から突出するようにバッテリケース１５と一体に形成される円筒状の軸部３４と、本体ケース１３に設けられるとともに、軸部３４が通される開口部３０と、開口部３０の周囲を規定する縁部３５と、軸部３４に設けられるとともに、縁部３５に引っかかる抜け止め部３６と、軸部３４を回転可能に支持する軸受構造４２と、を有する。【選択図】      図２
2009151719.tif 000002
【特許請求の範囲】
【請求項１】
バッテリを収容するバッテリケースと、
前記バッテリケースに対して回動できるとともに、表示部を有する本体ケースと、
前記本体ケースと前記バッテリケースとの間に設けられるとともに、これらを連結するヒンジ機構と、
を具備し、
前記ヒンジ機構は、
前記バッテリケースから突出するように前記バッテリケースと一体に形成される円筒状の軸部と、
前記本体ケースに設けられるとともに、前記軸部が通される開口部と、
前記開口部の周囲を規定する縁部と、
前記軸部に設けられるとともに、前記縁部に引っかかる抜け止め部と、
前記軸部を回転可能に支持する軸受構造と、
を有することを特徴とする携帯型機器。
【請求項２】
前記軸部は、その中央部にケーブルを通すための連通孔を有することを特徴とする請求項１に記載の携帯型機器。
【請求項３】
前記軸受構造は、
前記本体ケースの底面部から立ち上がるリブ部材と、
前記本体ケースの前記底面部に形成されたボス部と、
前記リブ部材との間に前記軸部を挟むように前記ボス部に固定されるホルダー部材と、
を有することを特徴とする請求項２に記載の携帯型機器。
【請求項４】
前記本体ケースは、前記抜け止め部を通すために前記開口部と一体に形成された切欠部を有し、
前記ホルダー部材は、前記ボス部に固定される際に前記切欠部を塞ぐことを特徴とする請求項３に記載の携帯型機器。
【請求項５】
前記抜け止め部と前記ホルダー部材との間に、前記本体ケースを所定の設置角度で保持するための保持機構を設けたことを特徴とする請求項４に記載の携帯型機器。
【請求項６】
前記本体ケースは、
前記表示部が配置する頂面部と、
前記頂面部に対向している前記底面部と、
前記頂面部と前記底面部とに連続する前面部と、
前記底面部と前記前面部との間に設けられる境界部と、
を具備し、
前記ヒンジ機構は、前記前面部の近傍に配置されるとともに、
前記境界部は、前記本体ケースが所定の使用角度の範囲内にあるときに、設置面に接触することを特徴とする請求項５に記載の携帯型機器。
【請求項７】
前記所定の使用角度の範囲は、前記本体ケースが直立する位置から、前記設置面に対して前記本体ケースが斜めになっている位置までの範囲に相当することを特徴とする請求項６に記載の携帯型機器。
【請求項８】
前記境界部は、前記前面部および前記底面部に対して、斜めになっていることを特徴とする請求項７に記載の携帯型機器。
【請求項９】
前記バッテリケースの内部に収容されるスピーカを具備し、
前記バッテリケースは、前面と、この前面に設けられた複数の貫通孔とを有し、この複数の貫通孔から前記スピーカからの音声が外部に伝達されることを特徴とする請求項８に記載の携帯型機器。
【発明の詳細な説明】
【技術分野】
【０００１】
本発明は、例えば音楽データや映像データの記憶および再生を行うことが可能な携帯型機器に関する。
【背景技術】
【０００２】
キーボードを配置したラップトップタイプワープロが開示されている。このラップトップタイプワープロは、そのヒンジ部分に、凹凸面を有する突起部と、表示部脚に設けられた回転軸と、凹凸面を有する回転盤と、回転盤を突起部に向けて付勢する皿バネと、馬蹄形のＥリングと、を有している。このラップトップタイプワープロでは、回転軸および回転盤は、樹脂により成形されているが、通常は強度を維持する観点から、突起部、回転軸、歯合盤、皿バネは、金属によって形成されることが多い。
【０００３】
このラップトップタイプワープロでは、突起部と歯合盤との歯合力は表示部の自重による回転力を若干上回る程度に設定されている。このため、この歯合力を多少上回る回転力を与えれば歯合部分は滑動し表示部を開閉することができる（例えば、特許文献１参照）。
【特許文献１】実開平７−１６２１８号公報
【発明の開示】
【発明が解決しようとする課題】
【０００４】
ところで、上記従来のラップトップタイプワープロでは、ヒンジ部分の構造が複雑であり、部品点数が多くなっている。また、ヒンジ部分に強度を確保するために、突起部、回転軸、歯合盤、皿バネに金属部品を用いると、ラップトップタイプワープロの重量が増加してしまう可能性がある。
【０００５】
本発明の目的は、簡単な構造で、ヒンジ部分の軽量化を図ることが可能な携帯型機器を提供することにある。
【課題を解決するための手段】
【０００６】
前記目的を達成するため、本発明の一つの形態に係る携帯型機器は、バッテリを収容するバッテリケースと、バッテリケースに対して回動できるとともに、表示部を有する本体ケースと、本体ケースとバッテリケースとの間に設けられるとともに、これらを連結するヒンジ機構と、を具備し、ヒンジ機構は、バッテリケースから突出するようにバッテリケースと一体に形成される円筒状の軸部と、本体ケースに設けられるとともに、軸部が通される開口部と、開口部の周囲を規定する縁部と、軸部に設けられるとともに、縁部に引っかかる抜け止め部と、軸部を回転可能に支持する軸受構造と、を具備する。
【発明の効果】
【０００７】
本発明によれば、簡単な構造で、ヒンジ部分の軽量化を図ることが可能な携帯型機器を提供できる。
【発明を実施するための最良の形態】
【０００８】
以下に、図１から図１２を参照して、携帯型機器の実施形態について説明する。この携帯型機器は、内蔵するハードディスク等の記憶装置に音楽データや映像データの保存を行って、これらの再生を適宜に行うことが可能な機器である。
【０００９】
図１と図２に示すように、携帯型機器１１は、表示部である液晶ディスプレイ１２を収容する本体ケース１３と、バッテリ１４を収容するバッテリケース１５と、本体ケース１３とバッテリケース１５との間に設けられるとともに、これらを連結するヒンジ機構１６と、を備えている。本体ケース１３は、ヒンジ機構１６の作用によって、バッテリケース１５に対して回動することができる。
【００１０】
バッテリケース１５は、例えば合成樹脂によって箱状に形成されている。バッテリケース１５は、上部に蓋部材１７を有し、蓋部材１７に携帯型機器１１を操作するための複数のボタン１８を有している。バッテリケース１５の内部に、電源となるバッテリ１４と、スピーカ１９と、がそれぞれ収容されている。バッテリケース１５の内部に蓋部材１７を受けるための受け部材２４が設けられている。バッテリケース１５は、さらに、前面１５Ａを有し、この前面１５Ａに複数の貫通孔２５が設けられている。複数の貫通孔２５を介して、スピーカ１９から発生される音声を外部に伝達することができる。
【００１１】
本体ケース１３は、例えば合成樹脂によって方形箱状に形成されている。本体ケース１３は、その内部に、プリント回路板と、液晶ディスプレイ１２と、ハードディスク装置と、をそれぞれ収容している。本体ケース１３は、表示部である液晶ディスプレイ１２が配置される頂面部２６と、頂面部２６に対向している底面部２７と、頂面部２６と底面部２７とに連続している前面部２８と、底面部２７と前面部２８との間に設けられる境界部２９と、を有している。頂面部２６は、液晶ディスプレイ１２を外部に露出させるための開口部３０を有する蓋で構成されている。本体ケースは、頂面部２６である蓋を受けるための受け部３１を有している。境界部２９は、底面部２７および前面部２８に対して斜めになっている。
【００１２】
ヒンジ機構１６は、前面部２８の近傍に配置されている。ヒンジ機構１６は、バッテリケース１５から突出するようにバッテリケース１５と一体に形成される軸部３４と、軸部３４が通されるように本体ケース１３に形成される開口部３０と、開口部３０の周囲を規定する縁部３５と、軸部３４に設けられるとともに縁部３５に引っかかる抜け止め部３６と、軸部３４を回転可能に支持する軸受構造４２と、開口部３０と一体に形成される切欠部３８と、を有している。軸部３４は、円筒形状に形成されている。軸部３４は、中央部にケーブル４１を通すための連通孔３４Ａを有している。切欠部３８は、抜け止め部３６と相補的な形状をなしており、抜け止め部３６を本体ケース１３の内側に通すために形成されている。
【００１３】
軸受構造４２は、本体ケース１３の底面部２７から底面部２７と直交する方向に立ちあがるリブ部材４３と、本体ケース１３の底面部２７に形成されたボス部４４と、ボス部４４に固定されるホルダー部材４５と、を有している。ボス部４４は、リブ部材４３と隣接して配置されている。ホルダー部材４５は、リブ部材４３との間に軸部３４を挟むように、ねじによってボス部４４に固定されている。ホルダー部材４５は、円弧部４５Ａと、縦方向に延びるストッパ部４５Ｂと、を有している。ストッパ部４５Ｂは、ホルダー部材４５がボス部４４に固定される際に、切欠部３８を塞いでいる。円弧部４５Ａは、例えば、１５度刻みで溝部４６が形成されている。すなわち、抜け止め部３６とホルダー部材４５の円弧部４５Ａとの間に、本体ケース１３を所定の設置角度で保持するための保持機構４７が設けられている。保持機構４７によって、本体ケース１３は、１５度刻みで、所望の角度で保持される。ホルダー部材４５は、ねじ４８によってボス部４４に固定されている。
【００１４】
なお、本実施形態では、バッテリケース１５と一体に軸部３４を設けるとともに、本体ケース１３に開口部３０を設け、本体ケース１３内でホルダー部材４５により軸部３４を固定しているが、本体ケース１３と一体に軸部３４を設け、バッテリケース１５に開口部３０を設けて、バッテリケース１５内でホルダー部材４５により軸部３４を固定するようにしてもよい。また、ホルダー部材４５は、ボス部４４に対してねじ４８によって固定されているが、溶着によってボス部４４に固定するようにしてもよい。これによって、さらに部品点数を削減することができる。
【００１５】
続いて、図４から図１２を参照して、バッテリケース１５に対して本体ケース１３を回動させる際の動作について説明する。図４と図８は、本体ケース１３がバッテリケース１５と平行になっており、それぞれが横置き状態にある場合を示している。このとき、抜け止め部３６は、ホルダー部材４５のストッパ部４５Ｂに突き当たっている。図５と図９は、この状態からヒンジ機構１６の軸部３４を中心に、３０度本体ケース１３を回転させた状態を示している。このとき、抜け止め部３６は、右から３番目の溝部４６に嵌っている。
【００１６】
図６と図１０は、図４に示す位置から本体ケース１３を６０度回転させた状態を示している。このとき、抜け止め部３６は、右側から３番目の溝部４６に嵌っている。図１０に示すように、本体ケース１３の境界部２９は、その角部４９において、携帯型機器１１が設置されている設置面５２に接している。このとき、境界部２９は、設置面５２に接触しているものの、本体ケース１３を回動させる際に境界部２９が設置面５２に接触することはないようになっている。
【００１７】
図１１は、図４に示す位置から、本体ケース１３を７０度回転させた状態を示している。このとき、境界部２９は、設置面５２に対して接触している。境界部２９は、設置面５２に対して面で接触しているため、携帯型機器１１は姿勢が安定する。
【００１８】
図７と図１２は、図４に示す位置から、本体ケース１３を９０度回転させた状態を示している。このとき、抜け止め部３６は、リブ部材４３に突き当たるとともに最も右側の溝部４６に嵌っている。同時に、本体ケース１３の前面部２８は、設置面５２に対して面で接触する。このため、この状態において、携帯型機器１１の姿勢が安定する。このように、本実施形態の携帯型機器１１では、本体ケース１３が直立した位置から、本体ケース１３を横置きした状態から６０度上方に回転させた位置までの、いわゆる使用角度の範囲内にあるときに、境界部２９は設置面５２に接触している。このとき、本体ケース１３を横置きした状態から６０度上方に回転させた位置では、本体ケース１３は、設置面５２に対して斜めになっている。
【００１９】
以上が、携帯型機器１１の実施形態である。本実施形態によれば、携帯型機器１１は、バッテリ１４を収容するバッテリケース１５と、バッテリケース１５に対して回動できるとともに、表示部を有する本体ケース１３と、本体ケース１３とバッテリケース１５との間に設けられるとともに、これらを連結するヒンジ機構１６と、を具備し、ヒンジ機構１６は、バッテリケース１５から突出するようにバッテリケース１５と一体に形成される円筒状の軸部３４と、本体ケース１３に設けられるとともに、軸部３４が通される開口部３０と、開口部３０の周囲を規定する縁部３５と、軸部３４に設けられるとともに、縁部３５に引っかかる抜け止め部３６と、軸部３４を回転可能に支持する軸受構造４２と、を具備する。
【００２０】
この構成によれば、バッテリケース１５と本体ケース１３とが分離するとともに、ヒンジ機構１６を介して本体ケース１３が回転できる構成を簡単に実現することができる。特に、ヒンジ機構１６の軸部３４がバッテリケース１５と一体に形成されているため、軸部３４を別途に用意する場合に比して、部品点数を削減することができる。また、本体ケース１３およびバッテリケース１５を合成樹脂によって形成するようにすれば、金属部品を使用する必要がなくなり、携帯型機器１１を軽量化することができる。
【００２１】
この場合、軸部３４は、その中央部にケーブル４１を通すための連通孔３４Ａを有する。この構成によれば、ヒンジ機構１６内にケーブル４１を配置することができ、ケーブル４１の配置のためのスペースを別途に必要とすることがなく、携帯型機器１１を小型化することができる。
【００２２】
この場合、軸受構造４２は、本体ケース１３の底面部２７から立ち上がるリブ部材４３と、本体ケース１３の底面部２７に形成されたボス部４４と、リブ部材４３との間に軸部３４を挟むようにボス部４４に固定されるホルダー部材４５と、を有する。この構成によれば、リブ部材４３およびホルダー部材４５によって、軸部３４を安定的に支持することができる。
【００２３】
この場合、本体ケース１３は、抜け止め部３６を通すために開口部３０と一体に形成された切欠部３８を有し、ホルダー部材４５は、ボス部４４に固定される際に切欠部３８を塞いでいる。この構成によれば、意図しないときに、切欠部３８を介して抜け止め部３６が縁部３５から外れてしまうことを防止することができる。
【００２４】
この場合、抜け止め部３６とホルダー部材４５との間に、本体ケース１３を所定の設置角度で保持するための保持機構４７が設けられる。この構成によれば、表示部を有する本体ケース１３を所望の角度に固定して、携帯型機器１１を使用することができる。また、ヒンジ機構１６に保持機構４７を兼ねさせることができ、保持機構４７を別途に設置する場合に比して、その設置に要するスペースを小さくすることができる。
【００２５】
この場合、本体ケース１３は、表示部が配置する頂面部２６と、頂面部２６に対向している底面部２７と、頂面部２６と底面部２７とに連続する前面部２８と、底面部２７と前面部２８との間に設けられる境界部２９と、を具備し、ヒンジ機構１６は、前面部２８の近傍に配置されるとともに、境界部２９は、本体ケース１３が所定の使用角度の範囲内にあるときに、設置面５２に接触する。この構成によれば、携帯型機器１１を使用している際に、本体ケース１３の境界部２９は設置面５２に接触する。このため、本体ケース１３が使用角度の範囲内にあるときに、携帯型機器１１の姿勢を安定化することができる。
【００２６】
この場合、所定の使用角度の範囲は、本体ケース１３が直立する位置から、設置面５２に対して本体ケース１３が斜めになっている位置までの範囲に相当する。この構成によれば、主として使用が想定される角度において、境界部２９を設置面５２に対して接触させ、携帯型機器１１の姿勢を安定化することができる。使用角度の範囲としては、例えば、横置き状態の本体ケース１３を上方に６０度回動させた位置から、本体ケース１３が直立する位置までが想定される。
【００２７】
この場合、境界部２９は、前面部２８および底面部２７に対して、斜めになっている。この構成によれば、所定の使用角度の範囲内において境界部２９が設置面５２に接触し、使用角度の範囲外で本体ケース１３を回動させる際には境界部２９と設置面５２とが干渉しない構成を簡単に実現することができる。
【００２８】
この場合、バッテリケース１５の内部に収容されるスピーカ１９を具備し、バッテリケース１５は、前面１５Ａと、この前面１５Ａに設けられた複数の貫通孔２５とを有し、この複数の貫通孔２５からスピーカ１９からの音声が外部に伝達される。この構成によれば、本体ケース１３の設置角度の如何にかかわらず、複数の貫通孔２５を前方にむけて配置することができる。これにより、本体ケース１３の設置される位置によって音声が聞きにくくなる事態が発生することを防止できる。
【００２９】
本発明の携帯型機器１１は、携帯型の音楽・映像プレイヤーに限らず、例えば携帯電話機やポータブルコンピュータのようなその他の電子機器に対しても実施可能である。その他、携帯型機器は、発明の要旨を逸脱しない範囲で種々変形して実施できることは勿論である。
【図面の簡単な説明】
【００３０】
【図１】第１の実施形態に係る携帯型機器を示す斜視図。
【図２】図１に示す携帯型機器の内部構造を示す斜視図。
【図３】図２に示す携帯型機器を分解して示す分解斜視図。
【図４】図２に示す携帯型機器の縦方向に沿った断面図。
【図５】図４に示す携帯型機器の本体ケースを上方に３０度回動させた状態を示す断面図。
【図６】図５に示す携帯型機器の本体ケースを上方に６０度回動させた状態を示す断面図。
【図７】図５に示す携帯型機器の本体ケースを上方に６０度回動させた状態を示す断面図。
【図８】図１に示す携帯型機器の本体ケースを水平方向に横置きした状態を示す側面図。
【図９】図８に示す携帯型機器の本体ケースを３０度上方に回動させた状態を示す側面図。
【図１０】図８に示す携帯型機器の本体ケースを６０度上方に回動させた状態を示す側面図。
【図１１】図８に示す携帯型機器の本体ケースを７０度上方に回動させた状態を示す側面図。
【図１２】図８に示す携帯型機器の本体ケースを９０度上方に回動させた状態を示す側面図。
【符号の説明】
【００３１】
１１…携帯型機器、１３…本体ケース、１４…バッテリ、１５…バッテリケース、１５…前面、１６…ヒンジ機構、１９…スピーカ、２５…貫通孔、２６…頂面部、２７…底面部、２８…前面部、２９…境界部、３４…軸部、３４Ａ…連通孔、３５…縁部、３６…抜け止め部、４２…軸受構造、３８…切欠部、４１…ケーブル、４２…軸受構造、４３…リブ部材、４４…ボス部、４５…ホルダー部材、４７…保持機構、５２…設置面
【図１】
2009151719.tif 000003
【図２】
2009151719.tif 000004
【図３】
2009151719.tif 000005
【図４】
2009151719.tif 000006
【図５】
2009151719.tif 000007
【図６】
2009151719.tif 000008
【図７】
2009151719.tif 000009
【図８】
2009151719.tif 000010
【図９】
2009151719.tif 000011
【図１０】
2009151719.tif 000012
【図１１】
2009151719.tif 000013
【図１２】
2009151719.tif 000014